(57)【要約】【課題】画像診断を効率よく行なうことを可能とする医用画像診断装置を提供すること。【解決手段】医用画像診断装置は、入力回路と、制御回路とを備える。入力回路は、被検体に対する検査を選択するための操作を受け付ける。制御回路は、入力回路によって受け付けられた検査について、操作者による操作を含む前記検査を構成する要素を示す情報を時系列に並べてディスプレイに表示させる。【選択図】図１
2019208741.tif 000002
【特許請求の範囲】
【請求項１】
被検体に対する検査を選択するための操作を受け付ける受付部と、
前記受付部によって受け付けられた検査について、操作者による操作を含む前記検査を構成する要素を示す情報を時系列に並べて表示部に表示させる表示制御部と、
を備える、医用画像診断装置。
【請求項２】
前記表示制御部は、前記操作者による操作を示す情報と、前記検査を構成する要素に含まれるスキャンを示す情報とを区別して前記表示部に表示させる、請求項１に記載の医用画像診断装置。
【請求項３】
前記表示制御部は、前記検査を構成する要素を示す情報として、待機時間をさらに表示させる、請求項１又は２に記載の医用画像診断装置。
【請求項４】
前記操作者による操作を示す情報は、前記操作者にボタンを押下させることを示す情報及び前記操作者に造影剤を注入させることを示す情報を含む、請求項１〜３のいずれか１項に記載の医用画像診断装置。
【請求項５】
前記表示制御部は、前記被検体の心電波形を前記表示部にさらに表示させる、請求項１〜４のいずれか１項に記載の医用画像診断装置。
【請求項６】
前記表示制御部は、時系列に並べて表示したスキャンを示す情報のうち、現時点で実行されているスキャンを示す情報を他のスキャンを示す情報と比較して強調して表示させる、請求項２〜５のいずれか１項に記載の医用画像診断装置。
【請求項７】
前記受付部は、時系列に並べて表示されたスキャンを示す情報を選択するための操作をさらに受け付け、
前記表示制御部は、前記時系列に並べた情報とともに、前記受付部によって選択された情報に対応するスキャンの条件及び前記スキャンの編集を行うための情報を前記表示部に表示させる、請求項１〜６のいずれか１項に記載の医用画像診断装置。
【請求項８】
前記表示制御部は、各スキャンにおけるＸ線量と実行時間に関する情報を、前記検査を構成する要素を示す情報に連動させて前記表示部にさらに表示させる、請求項１〜７のいずれか１項に記載の医用画像診断装置。
【発明の詳細な説明】
【技術分野】
【０００１】
本発明の実施形態は、医用画像診断装置に関する。
【背景技術】
【０００２】
従来、Ｘ線ＣＴ装置（ＣＴ；Computed  Tomography）やＭＲＩ装置（ＭＲＩ；MagneticResonance  Imaging）などの医用画像診断装置を用いた画像診断においては、患者の画像の収集、収集された画像の読影、レポートの作成、及び、レポートに基づく診断結果や治療方針の説明などの種々の作業が行われる。これらの作業は、担当医師や担当技師などの各専門家によって行われる。
【０００３】
例えば、担当医師は、患者との問診等に基づいて検査オーダを作成して、担当技師に伝える。担当技師は、担当医師から受け付けた検査オーダに基づいて、当該患者に対する所定の医用画像診断装置を用いた検査を実施して、患部に関する画像を収集する。その後、放射線科の読影医が、検査オーダに対応したレポートを作成する。ここで、読影医は、検査オーダに含まれる依頼内容や、前回検査のレポート及び画像等を参照して読影すべきポイントを確認してレポートを作成する。担当医師は、作成されたレポートを参照して、画像診断の結果を判断して、治療方針を決め、患者に対して説明を行う。
【先行技術文献】
【特許文献】
【０００４】
【特許文献１】特開２０１２−１７９４４７号公報
【発明の概要】
【発明が解決しようとする課題】
【０００５】
本発明が解決しようとする課題は、画像診断を効率よく行うことを可能とする医用画像診断装置を提供することである。
【課題を解決するための手段】
【０００６】
実施形態の医用画像診断装置は、受付部と、表示制御部とを備える。受付部は、被検体に対する検査を選択するための操作を受け付ける。表示制御部は、前記受付部によって受け付けられた検査について、操作者による操作を含む前記検査を構成する要素を示す情報を時系列に並べて表示部に表示させる。
【図面の簡単な説明】
【０００７】
【図１】図１は、第１の実施形態に係るＸ線ＣＴ装置の構成例を示す図である。
【図２】図２は、第１の実施形態に係るディスプレイによって表示される認証画面の一例を示す図である。
【図３】図３は、第１の実施形態に係るディスプレイによって表示される患者選択画面の一例を示す図である。
【図４】図４は、第１の実施形態に係るディスプレイによって表示される検査プロトコルの選択画面の一例を示す図である。
【図５Ａ】図５Ａは、第１の実施形態に係るディスプレイによって表示されるスキャニング画面の例（１）を示す図である。
【図５Ｂ】図５Ｂは、第１の実施形態に係るディスプレイによって表示されるスキャニング画面の例（２）を示す図である。
【図６】図６は、第１の実施形態に係るディスプレイによって表示されるスキャニング画面の例（３）を示す図である。
【図７】図７は、第１の実施形態に係るディスプレイによって表示されるスキャニング画面の例（４）を示す図である。
【図８】図８は、第１の実施形態に係るディスプレイによって表示されるスキャニング画面の例（５）を示す図である。
【図９】図９は、第１の実施形態に係るディスプレイによって表示される操作画面の一例を示す図である。
【図１０】図１０は、第１の実施形態に係るディスプレイによって表示される画像レビュー画面の一例を示す図である。
【図１１】図１１は、第１の実施形態に係るディスプレイによって表示される終了オプション画面の一例を示す図である。
【図１２】図１２は、第１の実施形態に係るディスプレイによって表示されるイメージングの操作画面の一例を示す図である。
【図１３】図１３は、第２の実施形態に係るディスプレイによって表示される操作画面の一例を示す図である。
【図１４】図１４は、第２の実施形態に係るディスプレイによって表示される患者選択画面の一例を示す図である。
【発明を実施するための形態】
【０００８】
以下、添付図面を参照して、医用画像診断装置の実施形態を詳細に説明する。なお、以下では、本願に係る医用画像診断装置として、Ｘ線ＣＴ（Computed  Tomography）装置を例に挙げて説明する。
【０００９】
（第１の実施形態）
まず、第１の実施形態に係るＸ線ＣＴ装置１の構成について説明する。図１は、第１の実施形態に係るＸ線ＣＴ装置１の構成例を示す図である。図１に示すように、第１の実施形態に係るＸ線ＣＴ装置１は、架台装置１０と、寝台装置２０と、コンソール装置３０とを有する。ここで、Ｘ線ＣＴ装置１は、例えば、病院内に設置された院内ＬＡＮ（Local  Area  Network）によって他の装置と接続され、直接的、又は間接的に相互に通信可能な状態となっている。例えば、Ｘ線ＣＴ装置１は、医用画像を記憶したり、医用画像を加工したりするＰＡＣＳ（Picture  Archiving  and  Communication  System）サーバや、その他の医用画像診断装置、担当医師が画像を参照するための端末装置などと接続され、各装置は、例えば、ＤＩＣＯＭ（Digital  Imaging  and  Communications  in  Medicine）規格に則って、医用画像等を相互に送受信する。
【００１０】
また、上述した各装置を有するシステムにおいては、ＨＩＳ（Hospital  Information  System）や、ＲＩＳ（Radiology  Information  System）などが導入され、各種情報が管理される。例えば、上記したシステムにより端末装置によって作成された検査オーダが各医用画像診断装置などに送信される。各医用画像診断装置は、端末装置から直接受信した検査オーダ、或いは、検査オーダを受信したＰＡＣＳサーバによって作成されたモダリティごとの患者リスト（モダリティワークリスト）から患者情報を取得する。
【００１１】
架台装置１０は、被検体ＰにＸ線を照射し、被検体Ｐを透過したＸ線を検出して、コンソール装置３０に出力する装置であり、Ｘ線照射制御回路１１と、Ｘ線発生装置１２と、検出器１３と、データ収集回路１４と、回転フレーム１５と、架台駆動回路１６とを有する。
【００１２】
回転フレーム１５は、Ｘ線発生装置１２と検出器１３とを被検体Ｐを挟んで対向するように支持し、後述する架台駆動回路１６によって被検体Ｐを中心とした円軌道にて高速に回転する円環状のフレームである。
【００１３】
Ｘ線照射制御回路１１は、図示しない高電圧発生部を制御して、Ｘ線管１２ａに高電圧を供給させる。Ｘ線管１２ａは、Ｘ線照射制御回路１１から供給される高電圧を用いてＸ線を発生する。Ｘ線照射制御回路１１は、Ｘ線管１２ａに供給する管電圧や管電流を調整することで、被検体Ｐに対して照射されるＸ線量を調整する。
【００１４】
また、Ｘ線照射制御回路１１は、ウェッジ１２ｂの切り替えを行なう。また、Ｘ線照射制御回路１１は、コリメータ１２ｃの開口度を調整することにより、Ｘ線の照射範囲（ファン角やコーン角）を調整する。なお、本実施形態は、複数種類のウェッジを、操作者が手動で切り替える場合であっても良い。
【００１５】
Ｘ線発生装置１２は、Ｘ線を発生し、発生したＸ線を被検体Ｐへ照射する装置であり、Ｘ線管１２ａと、ウェッジ１２ｂと、コリメータ１２ｃとを有する。
【００１６】
Ｘ線管１２ａは、図示しない高電圧発生部により供給される高電圧により被検体ＰにＸ線ビームを照射する真空管であり、回転フレーム１５の回転にともなって、Ｘ線ビームを被検体Ｐに対して照射する。Ｘ線管１２ａは、ファン角及びコーン角を持って広がるＸ線ビームを発生する。例えば、Ｘ線照射制御回路１１の制御により、Ｘ線管１２ａは、フル再構成用に被検体Ｐの全周囲でＸ線を連続曝射したり、ハーフ再構成用にハーフ再構成可能な曝射範囲（１８０度＋ファン角）でＸ線を連続曝射したりすることが可能である。また、Ｘ線照射制御回路１１の制御により、Ｘ線管１２ａは、予め設定された位置（管球位置）でＸ線（パルスＸ線）を間欠曝射したりすることが可能である。また、Ｘ線照射制御回路１１は、Ｘ線管１２ａから曝射されるＸ線の強度を変調させることも可能である。例えば、Ｘ線照射制御回路１１は、特定の管球位置では、Ｘ線管１２ａから曝射されるＸ線の強度を強くし、特定の管球位置以外の範囲では、Ｘ線管１２ａから曝射されるＸ線の強度を弱くする。
【００１７】
ウェッジ１２ｂは、Ｘ線管１２ａから曝射されたＸ線のＸ線量を調節するためのＸ線フィルタである。具体的には、ウェッジ１２ｂは、Ｘ線管１２ａから被検体Ｐへ照射されるＸ線が、予め定められた分布になるように、Ｘ線管１２ａから曝射されたＸ線を透過して減衰するフィルタである。例えば、ウェッジ１２ｂは、所定のターゲット角度や所定の厚みとなるようにアルミニウムを加工したフィルタである。なお、ウェッジは、ウェッジフィルタ（wedge  filter）や、ボウタイフィルタ（bow-tie  filter）とも呼ばれる。
【００１８】
コリメータ１２ｃは、後述するＸ線照射制御回路１１の制御により、ウェッジ１２ｂによってＸ線量が調節されたＸ線の照射範囲を絞り込むためのスリットである。
【００１９】
架台駆動回路１６は、回転フレーム１５を回転駆動させることによって、被検体Ｐを中心とした円軌道上でＸ線発生装置１２と検出器１３とを旋回させる。
【００２０】
検出器１３は、被検体Ｐを透過したＸ線を検出する２次元アレイ型検出器（面検出器）であり、複数チャンネル分のＸ線検出素子を配してなる検出素子列が被検体Ｐの体軸方向（図１に示すＺ軸方向）に沿って複数列配列されている。具体的には、第１の実施形態における検出器１３は、被検体Ｐの体軸方向に沿って３２０列など多列に配列されたＸ線検出素子を有し、例えば、被検体Ｐの肺や心臓を含む範囲など、広範囲に被検体Ｐを透過したＸ線を検出することが可能である。
【００２１】
データ収集回路１４は、ＤＡＳ（Data  Acquisition  System）であり、検出器１３が検出したＸ線の検出データから、投影データを収集する。例えば、データ収集回路１４は、検出器１３により検出されたＸ線強度分布データに対して、増幅処理やＡ／Ｄ変換処理、チャンネル間の感度補正処理等を行なって投影データを生成し、生成した投影データを後述するコンソール装置３０に送信する。例えば、回転フレームの回転中に、Ｘ線管１２ａからＸ線が連続曝射されている場合、データ収集回路１４は、全周囲分（３６０度分）の投影データ群を収集する。また、データ収集回路１４は、収集した各投影データに管球位置を対応付けて、後述するコンソール装置３０に送信する。管球位置は、投影データの投影方向を示す情報となる。なお、チャンネル間の感度補正処理は、後述する前処理回路３４が行なっても良い。
【００２２】
寝台装置２０は、被検体Ｐを載せる装置であり、図１に示すように、寝台駆動装置２１と、天板２２とを有する。寝台駆動装置２１は、天板２２をＺ軸方向へ移動して、被検体Ｐを回転フレーム１５内に移動させる。天板２２は、被検体Ｐが載置される板である。
【００２３】
なお、架台装置１０は、例えば、天板２２を移動させながら回転フレーム１５を回転させて被検体Ｐをらせん状にスキャンするヘリカルスキャンを実行する。または、架台装置１０は、天板２２を移動させた後に被検体Ｐの位置を固定したままで回転フレーム１５を回転させて被検体Ｐを円軌道にてスキャンするコンベンショナルスキャンを実行する。または、架台装置１０は、天板２２の位置を一定間隔で移動させてコンベンショナルスキャンを複数のスキャンエリアで行なうステップアンドシュート方式を実行する。
【００２４】
コンソール装置３０は、操作者によるＸ線ＣＴ装置の操作を受け付けるとともに、架台装置１０によって収集された投影データを用いてＸ線ＣＴ画像データを再構成する装置である。コンソール装置３０は、図１に示すように、入力回路３１と、ディスプレイ３２と、スキャン制御回路３３と、前処理回路３４と、投影データ記憶回路３５と、画像再構成回路３６と、画像記憶回路３７と、制御回路３８とを有する。
【００２５】
入力回路３１は、Ｘ線ＣＴ装置１の操作者が各種指示や各種設定の入力に用いるマウスやキーボード等を有し、操作者から受け付けた指示や設定の情報を、制御回路３８に転送する。例えば、入力回路３１は、操作者から、Ｘ線ＣＴ画像データの撮影条件や、Ｘ線ＣＴ画像データを再構成する際の再構成条件、Ｘ線ＣＴ画像データに対する画像処理条件等を受け付ける。また、入力回路３１は、被検体に対する検査を選択するための操作を受け付ける。また、入力回路３１は、時系列に並べて表示されたスキャンを示す情報を選択するための操作をさらに受け付ける。
【００２６】
ディスプレイ３２は、操作者によって参照されるモニタであり、制御回路３８による制御のもと、Ｘ線ＣＴ画像データを操作者に表示したり、入力回路３１を介して操作者から各種指示や各種設定等を受け付けるためのＧＵＩ（Graphical  User  Interface）を表示したりする。また、ディスプレイ３２は、スキャン計画の計画画面や、スキャン中の画面などを表示する。なお、スキャン計画の計画画面や、スキャン中の画面の詳細については後述する。
【００２７】
スキャン制御回路３３は、後述する制御回路３８の制御のもと、Ｘ線照射制御回路１１、架台駆動回路１６、データ収集回路１４及び寝台駆動装置２１の動作を制御することで、架台装置１０における投影データの収集処理を制御する。
【００２８】
前処理回路３４は、データ収集回路１４によって生成された投影データに対して、対数変換処理と、オフセット補正、感度補正及びビームハードニング補正等の補正処理とを行なって、補正済みの投影データを生成する。
【００２９】
投影データ記憶回路３５は、前処理回路３４により生成された投影データを記憶する。画像再構成回路３６は、投影データ記憶回路３５が記憶する投影データを用いてＸ線ＣＴ画像データを再構成する。再構成方法としては、種々の方法があり、例えば、逆投影処理が挙げられる。また、逆投影処理としては、例えば、ＦＢＰ（Filtered  Back  Projection）法による逆投影処理が挙げられる。或いは、画像再構成回路３６は、逐次近似法を用いて、Ｘ線ＣＴ画像データを再構成しても良い。
【００３０】
また、画像再構成回路３６は、Ｘ線ＣＴ画像データに対して各種画像処理を行なうことで、画像データを生成する。そして、画像再構成回路３６は、再構成したＸ線ＣＴ画像データや、各種画像処理により生成した画像データを画像記憶回路３７に格納する。画像記憶回路３７は、画像再構成回路３６によって生成された画像データを記憶する。
【００３１】
制御回路３８は、架台装置１０、寝台装置２０及びコンソール装置３０の動作を制御することによって、Ｘ線ＣＴ装置１の全体制御を行う。具体的には、制御回路３８は、スキャン制御回路３３を制御することで、架台装置１０で行なわれるＣＴスキャンを制御する。また、制御回路３８は、前処理回路３４を制御することで、投影データの生成を制御する。また、制御回路３８は、画像再構成回路３６を制御することで、コンソール装置３０における画像再構成処理や画像生成処理を制御する。また、制御回路３８は、画像記憶回路３７が記憶する各種画像データを、ディスプレイ３２に表示するように制御する。
【００３２】
以上、第１の実施形態に係るＸ線ＣＴ装置１の全体構成について説明した。かかる構成のもと、第１の実施形態に係るＸ線ＣＴ装置１は、画像診断を効率よく行なうことを可能とする。ここで、従来技術において、画像診断を効率よく行えない場合について説明する。上述したように、Ｘ線ＣＴ装置などの医用画像診断装置を用いた画像診断においては、医用画像診断装置を操作する操作者（例えば、担当技師や、放射線科医など）が、担当医師から送られた検査オーダに基づいて検査内容を決定して、検査を実施する。
【００３３】
例えば、Ｘ線ＣＴ装置を用いた画像診断においては、予め設定された複数の検査プロトコルの中から検査オーダに沿った検査プロトコルが操作者によって選択され、選択された検査プロトコルに含まれるスキャンが実行される。ここで、検査プロトコルには、例えば、位置決め用のスキャンや、部位ごとの非造影スキャン、或いは、部位ごとの造影スキャンなどが含まれる。すなわち、１つの検査プロトコルに基づいてＸ線ＣＴ画像データが収集される場合、複数回のスキャンが実行されて各スキャンに対応するＸ線ＣＴ画像データが収集される。なお、１回のスキャンによって収集されるＸ線ＣＴ画像データは、シリーズデータとも呼ばれる。
【００３４】
ここで、上述したような検査プロトコルによって検査が実施される場合、従来のＸ線ＣＴ装置においては、Ｘ線ＣＴ画像データを収集する際の詳細なパラメータ情報がディスプレイにて表示される。例えば、従来のＸ線ＣＴ装置においては、スキャン条件や再構成条件、各条件の編集画面などがディスプレイにて表示される。すなわち、従来のＸ線ＣＴ装置においては、各スキャンに関するパラメータ情報が羅列されているだけのため、操作者が、検査の流れや、現時点の状態、次に行う操作などを容易に把握することができず、画像診断を効率よく行うことができない場合があった。そこで、第１の実施形態に係るＸ線ＣＴ装置１は、以下、詳細に説明する制御回路３８の制御により、検査の流れや、現時点の状態、次に行う操作などの把握を容易にして、画像診断を効率よく行うことを可能とする。
【００３５】
具体的には、第１の実施形態に係るＸ線ＣＴ装置１における制御回路３８は、検査を構成する要素を示す情報を時系列に並べて表示することによって、検査の流れや、現時点の状態、次に行う操作などを一目で把握させ、画像診断を効率よく行うことを可能にする。以下、第１の実施形態に係るＸ線ＣＴ装置１によるＸ線ＣＴ画像データの収集の一例について、図２〜図１２を用いて順に説明する。
【００３６】
まず、Ｘ線ＣＴ装置１は、Ｘ線ＣＴ画像データの収集に際して、操作者の認証を行う。具体的には、制御回路３８が、操作者の認証を行うための認証画面をディスプレイ３２に表示させる。そして、入力回路３１が、操作者の認証情報の入力操作を受け付け、受け付けた認証情報を制御回路３８に送信する。制御回路３８は、入力回路３１から受信した認証情報を予め登録された操作者情報と比較して、現時点で操作している操作者が自装置の操作を許可された人物であるか否かを判定する。ここで、入力された認証情報が予め登録された操作者情報に含まれている場合に、制御回路３８は、現時点で操作している操作者が自装置の操作を許可された人物であると判定する。一方、入力された認証情報が予め登録された操作者情報に含まれていない場合に、制御回路３８は、現時点で操作している操作者が自装置の操作を許可された人物ではないと判定する。
【００３７】
図２は、第１の実施形態に係るディスプレイ３２によって表示される認証画面の一例を示す図である。例えば、制御回路３８は、図２の（Ａ）に示すように、操作者にユーザ名を入力させる「Enter  your  username」や、パスワードを入力させる「Password」、役割を選択させる「Role」などの領域をディスプレイ３２に表示させる。また、制御回路３８は、各情報を入力された後に認証処理を開始させるための「Login」ボタンをディスプレイ３２に表示させる。
【００３８】
図２の（Ａ）に示された認証画面（ログイン画面）に対して、操作者は、入力回路３１を介して各情報の入力操作及び選択操作を行う。例えば、操作者は、図２の（Ｂ）に示すように、「Enter  your  username」の領域に「ユーザＡ」を入力し、「Password」の領域に「１２３４５６７８」を入力する。そして、操作者は、「Role」の領域において、自身の役割を選択する。ここで、「Role」の領域において選択される役割とは、例えば、図２の（Ｂ）に示すように、「Day  duty（昼間勤務）」や「Night  duty（夜間勤務）」などの勤務時間帯や、「Prof.  Mike（マイク教授）」などの特定個人、「Research（研究）」などの用途などが含まれる。なお、図２の（Ｂ）に示す「Role」の選択肢はあくまでも一例であり、選択肢として表示される役割は任意に設定することができる。例えば、「放射線技師」などの職種が設定される場合であってもよく、「サービスメンテナンス」などが設定される場合であってもよい。
【００３９】
このように、制御回路３８は、ログイン画面において、ユーザ認証のためのユーザ名及びパスワードの入力領域とともに、操作者の役割を選択させることで、以後ディスプレイ３２に表示させる情報を選択された役割に基づいて変化させることが可能になる。なお、ディスプレイ３２に表示させる情報を選択された役割に基づいて変化させる例については、後述する。
【００４０】
図２に示すようなログイン画面において、操作者がユーザ名、パスワードなどの認証情報を入力すると、制御回路３８は、入力された情報を予め登録された操作者情報と比較して、認証を行う。ここで、認証に成功すると、制御回路３８は、自装置を操作させるための各種設定などを行うためのＧＵＩを含む画面をディスプレイ３２に表示させる。具体的には、制御回路３８は、Ｘ線ＣＴ画像データを収集するスキャンに関するＧＵＩや、収集したＸ線ＣＴ画像データから生成された画像データを表示させたり、加工したりするためのイメージングに関するＧＵＩなどを含む画面をディスプレイ３２に表示させる。
【００４１】
例えば、制御回路３８は、スキャンに関するＧＵＩとして、図３に示す患者選択画面をディスプレイ３２に表示させる。図３は、第１の実施形態に係るディスプレイ３２によって表示される患者選択画面の一例を示す図である。例えば、第１の実施形態に係る制御回路３８は、図３に示すように、患者名「Name」、患者ＩＤ「Patient  ID」、検査日「Exam  Date」、患部「Organ」、アクセスナンバー「Accession  Number」、誕生日「DOB」、年齢「Age」、体重「Weight」、身長「Height」、性別「Gender」などを患者ごとに表示した患者選択画像をディスプレイ３２に表示させる。
【００４２】
ここで、図３に示す患者選択画面（患者リスト）の情報は、例えば、検査オーダに基づいて作成されたモダリティワークリスト（ＭＷＭ）から取得される。すなわち、制御回路３８が、操作者の認証後にＰＡＣＳサーバにアクセスして、現時点のモダリティワークリストから情報を取得して、患者選択画面をディスプレイ３２に表示させる。なお、直接受信した検査オーダに基づいて患者選択画面を表示させる場合であってもよい。
【００４３】
また、第１の実施形態に係る制御回路３８は、例えば、図３に示すように、ディスプレイ３２に表示させる画面内に、Ｘ線ＣＴ画像データを収集するスキャンに関する画面を表示させる「Scan」タブ５１と、画像データの表示や加工を行うイメージングに関する画面を表示させる「Imaging」タブ５２とを表示させる。これにより、操作者は、タブを選択することにより、スキャンに関する操作画面とイメージングに関する操作画面とを容易に切り替えることができ、入力操作を簡便に行うことができる。
【００４４】
また、制御回路３８は、患者リストを「All/Today」でフィルタリングするためのＧＵＩを表示する。すなわち、制御回路３８は、現時点で登録されているすべての被検者（患者）の情報が記載された「All」の患者リストと、本日検査を受ける被検体（患者）のみの情報が記載された「Today」の患者リストとを切り替えるためのＧＵＩを表示する。これにより、操作者は、検査当日の情報のみに集中して検査を実施することができる。
【００４５】
さらに、制御回路３８は、患者名「Name」、患者ＩＤ「Patient  ID」、検査日「Exam  Date」、患部「Organ」、アクセスナンバー「Accession  Number」、誕生日「DOB」、年齢「Age」、体重「Weight」、身長「Height」、性別「Gender」などによってソートするためのＧＵＩや、キーワードによって検索するためのＧＵＩ、緊急時にショートカットするための「Emergency」ボタンや、リストにない新しい患者を登録するための「New  Patient」ボタンなどを画面に表示する。
【００４６】
操作者は、入力回路３１を介して、患者選択画面に表示された各ＧＵＩを用いて、次に検査する患者を選択する。例えば、操作者は、患者選択画面の中から次に検査する患者として「WILLIAMS  Zachary  Edward」を選択して、右下に配置された「Next」ボタンを押下する。なお、画面左下の「Close」ボタンは、患者選択の画面を閉じる場合に押下される。制御回路３８は、以後、操作者による操作に応じた画面をディスプレイ３２に表示させる。
【００４７】
なお、制御回路３８は、図３の領域５３に示すように、検査中のフローを画面内に表示させる。例えば、制御回路３８は、図３に示すように、患者登録「Patient  Registration」、プロトコル選択「Protocol  Selection」、スキャニング「Scanning」、画像レビュー「Image  Review」、終了オプション「Finishing  Options」などを含む検査フローを画面内に表示させる。ここで、制御回路３８は、検査フローにおける現時点の処理を強調して表示させる。例えば、患者選択を行う図３の画面では、制御回路３８は、患者登録「Patient  Registration」の部分を他の部分と比較して強調するように表示させる。
【００４８】
図３に示す患者選択画面において、次に検査される患者が選択されると、制御回路３８は、検査プロトコルを選択するための選択画面をディスプレイ３２に表示させる。図４は、第１の実施形態に係るディスプレイ３２によって表示される検査プロトコルの選択画面の一例を示す図である。例えば、図３に示す患者選択画面にて患者が選択され、「Next」ボタンが押下されると、制御回路３８は、図４に示す検査プロトコルの選択画面をディスプレイ３２に表示させる。なお、検査プロトコルの選択画面においては、制御回路３８は、図４の矢印５４に示すように、「Protocol  Selection」領域を強調表示させる。
【００４９】
例えば、制御回路３８は、図４の（Ａ）に示すように、検査プロトコルの選択画面内に、プリセットされた検査プロトコルの中から実施される検査プロトコルを選択する選択領域「Preset  Protocols」を表示させる。操作者は、ディスプレイ３２に表示された検査プロトコルの選択画面において、現時点の患者（例えば、WILLIAMS  Zachary  Edward）に対して実施する検査の検査プロトコルを選択する。一例を挙げると、操作者は、入力回路３１を介して、図４の（Ｂ）に示すように、検査プロトコル「Chest  and  Abdomen  CE」を選択する。
【００５０】
操作者によって検査プロトコルが選択されると、制御回路３８は、図４の（Ｂ）に示すように、選択された検査プロトコル「Chest  and  Abdomen  CE」に含まれるスキャン情報「3D  Scano」、「Sure  Start」、「Arterial  Chest」及び「Portal  Abdomen」をディスプレイ３２に表示させる。これにより、操作者は、自身が選択した検査プロトコルの内容を確認することができる。なお、ここで表示される検査プロトコルは、検査の内容に応じて最適なスキャンが行えるように、予め設定され、登録されたものである。また、これら検査プロトコルは、許可された操作者が任意に設定して、登録することが可能である。
【００５１】
さらに、検査プロトコルの選択画面において表示される検査プロトコルの選択肢は、操作者の役割によって変化させる場合であってもよい。すなわち、制御回路３８は、ログイン画面において選択された操作者の役割に応じて、検査プロトコルを選択する選択領域「Preset  Protocols」をクリックすることで表示される選択肢を変えることができる。例えば、操作者によって選択された役割が「昼間勤務（Day  duty）」であった場合、制御回路３８は、検査オーダに含まれる患部に対応するすべての検査プロトコルを選択肢として表示させる。一方、操作者によって選択された役割が「夜間勤務（Night  duty）」であった場合、制御回路３８は、検査オーダに含まれる患部に対応する検査プロトコルのうち、主に選択される検査プロトコルを選択肢として表示させる。
【００５２】
このようにすることで、装置を使い慣れた「昼間勤務（Day  duty）」の操作者に対してはすべての選択肢を表示させ、その中から最適な検査プロトコルを選択させ、装置をあまり使い慣れていない可能性がある「夜間勤務（Night  Duty）」の操作者に対しては、検査プロトコルの選択に不要な時間がかからぬように、主要に用いられる検査プロトコルの中から実施する検査プロトコルを選択させることができる。なお、検査プロトコルの選択画面において表示される検査プロトコルの選択肢は、その他、特定の個人用や、研究用、サービスメンテナンス用など、各役割に対して任意に設定することができる。
【００５３】
このように、検査プロトコルの選択画面にて実施される検査プロトコルが選択され、「Next」ボタンが押下されると、制御回路３８は、スキャニングに関する画面をディスプレイ３２に表示させる。ここで、第１の実施形態に係る制御回路３８は、被検体（患者）に対して実施される検査を構成する要素を示す情報を時系列に並べてディスプレイ３２に表示させることで、検査の流れや、現時点の状態、次に行う操作などを一目で把握させ、画像診断を効率よく行うことを可能にする。
【００５４】
図５Ａは、第１の実施形態に係るディスプレイ３２によって表示されるスキャニング画面の例（１）を示す図である。例えば、制御回路３８は、入力回路３１によって受け付けられた検査プロトコルについて、操作者による操作を含む前記検査を構成する要素を示す情報を時系列に並べてディスプレイ３２に表示させる。ここで、制御回路３８は、操作者による操作を示す情報と、検査を構成する要素に含まれるスキャンを示す情報とを区別してディスプレイ３２に表示させる。
【００５５】
一例を挙げると、制御回路３８は、図５Ａに示すように、操作者による操作である曝射スイッチのＯＮ操作を示すアイコン５５と、選択された検査プロトコル「Chest  and  Abdomen  CE」に含まれるスキャン「3D  Scano」、「Sure  Start」、「Arterial  Chest」及び「Portal  Abdomen」を示すアイコン５６とを、時系列順に並べて表示する。このとき、制御回路３８は、図５Ａに示すように、アイコン５５とアイコン５６とをそれぞれ異なる形で表示させることで、操作者による操作を示す情報とスキャンを示す情報とを区別させる。なお、図５Ａにおいては、操作者による操作を示す情報を円形のアイコンで示し、スキャンを示す情報を矩形のアイコンで示しているが、実施形態はこれに限定されるものではなく、各情報を任意の形状で示すことができる。
【００５６】
図５Ａに示すように、制御回路３８は、曝射スイッチのＯＮ操作を示すアイコン５５とスキャンを示すアイコン５６とを実行される順に左から右へ並べて表示させる。この画面を参照することにより、操作者は、検査の流れや、現時点の状態、次に行う操作などを一目で把握することができ、画像診断を効率よく行うことを可能にする。なお、検査プロトコルが選択され、スキャニング画面が表示されると、図５Ａの矢印５４に示すように、検査フローにおける「Scanning」領域が強調表示される。
【００５７】
ここで、図５Ａにおいては、検査を構成する要素として、曝射スイッチのＯＮ操作とスキャンとを表示させる場合を例に挙げて説明したが、実施形態はこれに限定されるものではなく、その他の要素を時系列順に並べて表示したり、種々の情報をスキャニング画面に表示したりする場合であってもよい。図５Ｂは、第１の実施形態に係るディスプレイ３２によって表示されるスキャニング画面の例（２）を示す図である。
【００５８】
例えば、制御回路３８は、図５Ｂに示すように、曝射スイッチのＯＮ操作を示すアイコン５５及びスキャンを示すアイコン５６に加えて、待機時間を示すアイコン５７や、２回目の曝射スイッチが押下されてから各スキャンが開始されるまでの時間を示すアイコン５８や、造影剤の注入を示すアイコン５９などを時系列に並べてスキャニング画面に表示する。
【００５９】
図５Ｂに示すスキャニング画面を参照することで、操作者は、現在実行されている検査プロトコルでは、まず、自身が曝射ボタンを押下することでスキャンの位置決め画像（スキャノグラム）を収集するための「3D  Scano」のスキャンが「６秒（６sec）」実施され、収集されたスキャノグラムに基づいて位置決めが実行された後、再度曝射ボタンを押下することで、患部のスキャンが開始されることが一目で把握できる。さらに、操作者は、図５Ｂに示すスキャニング画像を参照することで、２回目の曝射スイッチの押下と同一のタイミングで造影剤を注入し、「１０秒（１０．０Ｓ）」後に造影剤の流れを確認するためのスキャン「Sure  Start」が「４０．２５秒（４０．２５sec）」実施され、さらに「１０秒（１０．０Ｓ）」後、「４．５秒（４．５sec）」の胸部動脈スキャン「Arterial  Chest」と、「７．３秒（７．３sec）」の腹部門脈スキャン「Portal  Abdomen」とが順に実施されることが一目でわかる。
【００６０】
またさらに、図５Ｂに示すスキャニング画像では、曝射スイッチが押下されてから各スキャンが開始されるまでの時間を示すアイコン５８を参照することで、各スキャンが開始されるまでの時間を視覚的に把握することが可能である。そして、制御回路３８は、現時点で実行されているスキャンを他のスキャンとは異なる状態で表示させる。例えば、制御回路３８は、図５Ｂに示すように、「3D  Scano」のスキャンを示すアイコン５６を強調表示させる。これにより、操作者は現時点の状態を一目で把握できる。
【００６１】
なお、上述した例はあくまでも一例であり、その他の情報を時系列に並べて表示する場合であってもよい。例えば、スキャンの開始時及び終了時などに装置から発生される音声を示す情報を時系列に並べて表示してもよい。また、各アイコン内に種々の情報（例えば、ヘリカルスキャンなどのスキャン方法など）を含めて表示する場合であってもよい。
【００６２】
また、スキャニング画面においては、上述した検査を構成する要素の他にも、制御回路３８は、図５Ｂに示すように、人体モデル上にスキャン範囲を示した情報や、被検体の位置情報（Patient  Position）、現時点で実行されているスキャンの詳細情報（Scan  Details）などを同時に表示させることができる。またさらに、制御回路３８は、図５Ｂの矢印６０に示す被検体の心電波形や、矢印６１に示す被曝線量情報をスキャニング画面に表示させることができる。このようなスキャニング画面を参照することにより、操作者は、検査の進行状況及び自身の操作に関する情報に加えて、スキャンの詳細や被検体の状態などを総合的に確認しながら検査を実施することができる。
【００６３】
さらに、制御回路３８は、スキャニング画面にスキャンによって収集した画像やスキャン結果などを表示させることもできる。図６は、第１の実施形態に係るディスプレイ３２によって表示されるスキャニング画面の例（３）を示す図である。例えば、スキャン「Sure  Start」が実施されている際に、制御回路３８は、図６に示すように、スキャニング画面の上段に「3D  Scano」によって収集した３次元のＸ線ＣＴ画像データから生成した画像データを表示させ、画像データ上に「Sure  Start」においてＣＴ値の状態を観察するＲＯＩ１の位置を表示させる。そして、制御回路３８は、図６に示すように、ＲＯＩ１内のＣＴ値の時間変化を示すＴＤＣ（Time  Density  Curve）６２をアイコン５６の隣に表示させる。
【００６４】
また、制御回路３８は、検査プロトコルに含まれる各スキャンに対応するパラメータ情報をそれぞれ表示させることができる。具体的には、入力回路３１が、時系列に並べて表示されたスキャンを示す情報（例えば、アイコンなど）を選択するための操作をさらに受け付ける。制御回路３８は、時系列に並べた情報とともに、入力回路３１によって選択された情報に対応するスキャンの条件及びスキャンの編集を行うための情報をディスプレイ３２に表示させる。すなわち、制御回路３８は、検査を構成する要素（検査に含まれる内容）を時系列順に表示させた状態で、選択されたスキャンの詳細なパラメータ情報をディスプレイ３２に表示させる。
【００６５】
図７は、第１の実施形態に係るディスプレイ３２によって表示されるスキャニング画面の例（４）を示す図である。例えば、制御回路３８は、図７に示すように、時系列順に並べた情報とともに、スキャンのパラメータ情報６３をスキャニング画面に表示させる。一例を挙げると、時系列順に並べられた各スキャンのアイコンが押下ボタンとして構成され、入力回路３１が、各スキャンの押下ボタンに対する押下操作を受け付ける。制御回路３８は、押下操作を受け付けたスキャンに対応するパラメータ情報をスキャニング画面に表示させる。例えば、図７に示すように、現時点で実行されているスキャン「Arterial  Chest」のボタンが押下されると、制御回路３８は、現時点で実行されているスキャン「Arterial  Chest」の「Scan」、「Adv.  Scan」、「Reconstruction」及び「Adv.  Reconstruction」について、パラメータ情報を表示させる。
【００６６】
このとき、制御回路３８は、図７に示すように、時系列順に並べた検査の構成要素の表示を維持した状態で、パラメータ情報を表示させる。これにより、操作者は、検査の進行状況とともに、各スキャンのパラメータを確認することができる。また、操作者は、詳細なパラメータについて、編集することも可能である。
【００６７】
また、制御回路３８は、検査を構成する要素を時系列順に並べた表示情報とともに、各スキャンにおけるＸ線量と実行時間に関する情報を表示させることができる。図８は、第１の実施形態に係るディスプレイ３２によって表示されるスキャニング画面の例（５）を示す図である。例えば、制御回路３８は、図８に示すように、実時間（秒）を横軸にとり、Ｘ線量（ｍＡ）を縦軸にとったグラフ上に、検査プロトコル「Chest  and  Abdomen  CE」に含まれるスキャン「3D  Scano」、「Sure  Start」、「Arterial  Chest」及び「Portal  Abdomen」それぞれのＸ線量と実行時間に関する情報をそれぞれ表示させる。
【００６８】
ここで、これらの情報は、時系列順に並べた表示情報と連動して表示される。一例を挙げると、制御回路３８は、時系列順に並べた表示情報においては、現時点で実行されているスキャンの情報（例えば、アイコン）を強調表示させるとともに、Ｘ線量と実行時間に関する情報においては、現時点で実行されているスキャンのＸ線量を強調して表示させる。
【００６９】
なお、時系列順に並べた表示情報とＸ線量と実行時間に関する情報とは、図８の矢印６４に示したボタンによって切り替えることができる。例えば、時系列順に並べた表示情報が表示されている際に、入力回路３１を介して、矢印６４によって指示されたグラフを示すボタンが押下されると、制御回路３８は、図８に示すように、Ｘ線量と実行時間に関する情報をスキャニング画面に表示させる。一方、Ｘ線量と実行時間に関する情報が表示されている際に、入力回路３１を介して、矢印６４によって指示されたグラフを示すボタンの上にある矩形のボタンが押下されると、制御回路３８は、例えば、図５Ｂに示すように、時系列順に並べた表示情報をスキャニング画面に表示させる。
【００７０】
ここで、時系列順に並べた表示情報及びＸ線量と実行時間に関する情報の表示形態は、図８に示すような切替表示だけではなく、同一画面上に並べて表示させる場合であってもよい。例えば、時系列順に並べた表示情報の下にＸ線量と実行時間に関する情報を表示させる場合であってもよい。また、例えば、Ｘ線量と実行時間に関する情報における各スキャンのグラフの上側にそれぞれ対応するアイコンを表示させる場合であってもよい。
【００７１】
また、時系列順に並べた表示情報とＸ線量と実行時間に関する情報とは、実施される検査プロトコル（或いは、スキャンの種類）に応じて、自動で切り替わる場合であってもよい。かかる場合には、予め検査プロトコル及びスキャンの種類ごとに、時系列順に並べた表示情報を表示するか、又は、Ｘ線量と実行時間に関する情報を表示するかを対応付けて画像記憶回路３７に記憶させておき、制御回路３８が、記憶された情報に基づいて表示する情報を自動で切り替える。一例を挙げると、制御回路３８は、脳のパフュージョン解析のためのスキャンを行う場合に、Ｘ線量と実行時間に関する情報を表示させる。
【００７２】
上述したように、第１の実施形態に係る制御回路３８は、検査を構成する要素を示すアイコンを時系列順に並べて表示するとともに、種々の情報を併せて表示させることができる。ここで、上述した実施形態では、最初に選択された検査プロトコルに含まれるスキャンや、その際に操作者によって実行される操作を時系列順に表示する場合について説明したが、第１の実施形態に係るＸ線ＣＴ装置１においては、スキャニング中に検査プロトコルの追加や、スキャンの追加を行うことも可能である。かかる場合には、制御回路３８は、追加された検査プロトコルについても上記した例と同様に、検査を構成する要素の示す情報を時系列順に並べて表示させる。また、制御回路３８は、現時点で実行されている検査プロトコルを示す時系列順の表示情報に、追加されたスキャンに対応するアイコンをさらに追加して表示させる。
【００７３】
そして、選択された検査プロトコルによるスキャンがすべて終了すると、制御回路３８は、スキャンを継続するか、或いは、次の処理に進むかを選択するための操作画面を表示する。図９は、第１の実施形態に係るディスプレイ３２によって表示される操作画面の一例を示す図である。例えば、制御回路３８は、図９に示すように、終了した検査プロトコルの時系列順の情報の最後尾にスキャンを継続するための押下ボタン６５を表示する。
【００７４】
ここで、さらにスキャンを行う場合には、操作者は、入力回路３１を介して押下ボタン６５を押下する。操作者によって押下ボタン６５が押下されると、制御回路３８は、例えば、図４に示す検査プロトコルの選択画面をディスプレイ３２に表示させる。そして、追加の検査プロトコルが選択されると、制御回路３８は、選択された検査プロトコルについて、上記した例と同様にスキャンを実行する。
【００７５】
一方、スキャンを終了する場合には、操作者は、入力回路３１を介して、スキャニング画面の右下に配置された「Next」ボタンを押下する。操作者によって「Next」ボタンが押下されると、制御回路３８は、ここまで実行してきた検査プロトコルのスキャンによって収集されたＸ線ＣＴ画像データから画像データを生成してディスプレイ３２に表示させる。図１０は、第１の実施形態に係るディスプレイ３２によって表示される画像レビュー画面の一例を示す図である。
【００７６】
例えば、制御回路３８は、画像再構成回路３６を制御して、収集した投影データからＸ線ＣＴ画像データを再構成させ、Ｘ線ＣＴ画像データに対して種々の画像処理を実行させることにより、表示用の画像データを生成させる。例えば、制御回路３８は、図１０に示すように、種々の画像データをディスプレイ３２に表示させる。ここで、制御回路３８は、操作者又は担当医師の属性情報（役割）や、患部、選択された検査プロトコルに基づいて、画像データの種類を自動で選択して生成する。
【００７７】
例えば、特定の個人や、患部及び検査プロトコルそれぞれに対して、画像データを生成するためのアプリケーションを予め対応付けた対応情報を画像記憶回路３７に記憶させる。制御回路３８は、スキャンが終了すると、画像記憶回路３７に記憶された対応情報を参照して、いままで実行されていたスキャンを行った人物（操作者又は検査オーダを出した担当医師）の属性情報や、患部、検査プロトコルに対応するアプリケーションの情報を取得して、当該アプリケーションを用いて画像データを生成するように画像再構成回路３６を制御する。
【００７８】
そして、制御回路３８は、画像再構成回路３６によって生成された種々の画像データをディスプレイ３２に表示させる。このとき、制御回路３８は、図１０の左端に示すように、同一患者の過去に収集した画像データをシリーズデータごとに選択可能に表示することもできる。操作者は、ディスプレイ３２に表示された画像レビューや過去のシリーズデータなどを観察して、今回収集した画像データを確認する。なお、画像レビュー画面が表示されると、図１０の矢印６６に示すように、検査フローにおける「Image  Review」領域が強調表示される。
【００７９】
画像レビューが終了すると、制御回路３８は、スキャン終了前のオプション画面をディスプレイ３２に表示させる。図１１は、第１の実施形態に係るディスプレイ３２によって表示される終了オプション画面の一例を示す図である。例えば、制御回路３８は、図１１の矢印６７に示すように、検査フローにおける「Finishing  Options」領域を強調表示させるとともに、その後の処理の選択肢を表示する。例えば、制御回路３８は、図１１に示すように、現在の患者に対して別のスキャンを実行するための押下ボタン「Perform  Another  Scan  for  the  Current  Patient」や、現在の患者をイメージングに追加して、新しい患者をスキャンするための押下ボタン「Add    Current  Patient  to  Imaging（and  Scan  a  New  Patient）」、新しい患者をスキャンするための押下ボタン「Scan  a  New  Patient」及びスキャンを終了するための押下ボタン「Finish  Scanning」などを表示する。
【００８０】
操作者は、ディスプレイ３２に表示された押下ボタンを押下して以後の処理を行う。なお、図１１に示す終了オプション画面に表示される選択肢はあくまでも一例であり、実施形態はこれに限定されるものではない。すなわち、終了オプション画面に表示される選択肢は、操作者によって任意に設定することができる。
【００８１】
以上、Ｘ線ＣＴ画像データを収集するスキャンに関するＧＵＩを表示する例について説明した。次に、イメージングに関するＧＵＩなどを含む画面をディスプレイ３２に表示させる場合について説明する。例えば、操作者が、入力回路３１を介して「Imaging」タブ５２を押下すると、制御回路３８は、イメージングに関する操作画面をディスプレイ３２に表示させる。図１２は、第１の実施形態に係るディスプレイ３２によって表示されるイメージングの操作画面の一例を示す図である。
【００８２】
例えば、制御回路３８は、図１２に示すように、「Imaging」タブ５２に種々の画像データを表示させた操作画面を表示させる。ここで、制御回路３８は、図１２に示すように、「Imaging」タブ５２上で患者選択を行うための選択領域６８を表示させる。操作者は、入力回路３１を介して選択領域６８を操作して、画像データを表示させる患者を選択することができる。制御回路３８は、操作者によって選択された患者の画像データをディスプレイ３２に表示させる。
【００８３】
上述したように、第１の実施形態によれば、入力回路３１は、被検体に対する検査を選択するための操作を受け付ける。制御回路３８は、入力回路３１によって受け付けられた検査について、操作者による操作を含む前記検査を構成する要素を示す情報を時系列に並べてディスプレイ３２に表示させる。従って、第１の実施形態に係るＸ線ＣＴ装置１は、操作者に検査の流れや、現時点の状態、次に行う操作などを容易に把握させることができ、画像診断を効率よく行うことを可能とする。
【００８４】
また、第１の実施形態によれば、制御回路３８は、操作者による操作を示す情報と、検査を構成する要素に含まれるスキャンを示す情報とを区別してディスプレイ３２に表示させる。従って、第１の実施形態に係るＸ線ＣＴ装置１は、検査における操作者の操作（アクション）を一目で把握させることを可能にする。
【００８５】
また、第１の実施形態によれば、制御回路３８は、検査を構成する要素を示す情報として、待機時間をさらに表示させる。従って、第１の実施形態に係るＸ線ＣＴ装置１は、操作者が効率よく検査を行うことを可能にする。例えば、操作者は、待機時間を正確に把握することができ、待機時間が長い場合などに、収集済みのＸ線ＣＴ画像データから画像データを生成して確認作業を行うことも可能である。
【００８６】
また、第１の実施形態によれば、操作者による操作を示す情報は、操作者にボタンを押下させることを示す情報及び操作者に造影剤を注入させることを示す情報を含む。従って、第１の実施形態に係るＸ線ＣＴ装置１は、操作者に操作のタイミングを把握させることを可能にする。
【００８７】
また、第１の実施形態によれば、制御回路３８は、時系列に並べて表示したスキャンを示す情報のうち、現時点で実行されているスキャンを示す情報を他のスキャンを示す情報と比較して強調して表示させる。従って、第１の実施形態に係るＸ線ＣＴ装置１は、現在実行されているスキャンを一目で把握させることを可能にする。
【００８８】
また、第１の実施形態によれば、入力回路３１は、時系列に並べて表示されたスキャンを示す情報を選択するための操作をさらに受け付ける。制御回路３８は、時系列に並べた情報とともに、入力回路３１によって選択された情報に対応するスキャンの条件及びスキャンの編集を行うための情報をディスプレイ３２に表示させる。従って、第１の実施形態に係るＸ線ＣＴ装置１は、スキャンの詳細な情報を同時に確認することを可能にする。
【００８９】
制御回路３８は、各スキャンにおけるＸ線量と実行時間に関する情報を、検査を構成する要素を示す情報に連動させてディスプレイ３２にさらに表示させる。従って、第１の実施形態に係るＸ線ＣＴ装置１は、経時的なＸ線量の情報を同時に確認することを可能にする。
【００９０】
（第２の実施形態）
さて、これまで第１の実施形態について説明したが、上記した第１の実施形態以外にも、種々の異なる形態にて実施されてよいものである。
【００９１】
上述した実施形態では、画面の左下及び右下に画面遷移にかかるボタン（例えば、「Back」ボタンや「Next」ボタンなど）を表示する例を示した。これらのボタンは、画面が遷移した場合にも略同一位置に配置されているため、操作者がボタンを探すなどの手間がかからないように設計される。従って、ディスプレイ３２によって表示される操作画面に慣れた場合、操作者は自然とボタンの位置を見ることになる。そこで、画面の左下及び右下に表示されるものは画面遷移にかかるボタンだけではなく、その他のものを表示する場合であってもよい。
【００９２】
図１３は、第２の実施形態に係るディスプレイ３２によって表示される操作画面の一例を示す図である。例えば、第２の実施形態に係る制御回路３８は、図１３に示すように、画面右下の位置にメッセージ領域６９を表示して、メッセージ領域６９内に種々のメッセージを表示する。なお、メッセージ領域に表示されるメッセージは任意に設定される。例えば、操作画面の種類（ログイン画面、プロトコル選択画面、スキャニング画面など）ごとに、特定のメッセージが設定され、表示される場合であってもよい。
【００９３】
また、上述した第１の実施形態では、患者選択画面において、患者のリストのみを表示する場合について説明した。しかしながら、実施形態は、これに限定されるものではなく、例えば、各患者に対応付けて種々の情報が表示される場合であってもよい。図１４は、第２の実施形態に係るディスプレイ３２によって表示される患者選択画面の一例を示す図である。例えば、操作者が入力回路３１を介して患者を選択すると、第２の実施形態に係る制御回路３８は、図１４に示すように、選択された患者が過去に収集したシリーズデータのサムネイルを同時に表示させる。操作者は、シリーズデータのサムネイルを選択することで、対応する画像データを表示させることができる。操作者は、過去に収集したシリーズデータを参照することで、今回実施する検査に最適な検査プロトコルの選択を容易に行うことができる。
【００９４】
ここで、図１４に示すシリーズデータのサムネイルは、サムネイルの状態でデータを参照することができる。例えば、左端のサムネイルで示されたシリーズデータは、胸部から腹部にかけて収集された６００枚の画像データを含む。操作者は、左端のサムネイル上でマウス操作を行うことにより、６００枚の画像を順次サムネイルの状態で表示させることができる。すなわち、制御回路３８は、入力回路３１としてのマウスの操作情報に基づいて、胸部から腹部にかけての断面画像を順次表示させる。換言すると、制御回路３８は、マウスの操作情報に基づいて、異なる位置の画像データをサムネイルの状態で順次表示させる。
【００９５】
さらに、サムネイルの状態で表示させる画像の範囲を任意に設定することも可能である。例えば、図１４に示すサムネイルの脇に範囲を設定するためのバーを表示させる。操作者は、入力回路３１を介してバーを操作することで画像の範囲を設定することもできる。一例を挙げると、入力回路３１は、図１４の左端のサムネイルで示されたシリーズデータに含まれる６００枚の画像データに対して１００枚目から５００枚目までの範囲を設定するための操作を受け付ける。その後、左端のサムネイル上でマウス操作された場合に、制御回路３８は、１００枚目から５００枚目までの画像データをサムネイルの状態で表示させる。
【００９６】
上述した範囲設定は、サムネイルごとにそれぞれ別々に実行することもでき、所望のサムネイルに対して一括で範囲設定することもできる。例えば、左端のサムネイルに対して１００枚目から５００枚目までの範囲が設定された後、左から２番目のサムネイルと左から３番目のサムネイルが選択され、それらに対して範囲の適用が実行されることにより、２番目及び３番目のサムネイルにおいても１００枚目から５００枚目までの範囲が設定される。上述した範囲の適用は、専用の押下ボタンが設けられ、それが押下されることによって実行される場合であってもよく、或いは、マウス操作によって実行される場合であってもよい。
【００９７】
上述した実施形態においては、医用画像診断装置としてＸ線ＣＴ装置を用いる場合について説明した。しかしながら、実施形態はこれに限定されるものではなく、ＭＲＩ装置や、ＰＥＴ装置、ＳＰＥＣＴ装置、Ｘ線診断装置、超音波診断装置に適用される場合であってもよい。すなわち、各医用画像診断装置の制御回路が、上述した制御回路３８と同様の制御を実行する。
【００９８】
また、第１の実施形態で図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、或いは、ワイヤードロジックによるハードウェアとして実現され得る。
【００９９】
また、第１の実施形態で説明した制御方法は、予め用意された制御プログラムをパーソナルコンピュータやワークステーション等のコンピュータで実行することによって実現することができる。この制御プログラムは、インターネット等のネットワークを介して配布することができる。また、この制御プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１００】
以上、説明したとおり、各実施形態によれば、画像診断を効率よく行なうことを可能とする。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１  Ｘ線ＣＴ装置
３１  入力回路
３２  ディスプレイ
３８  制御回路
【図１】
2019208741.tif 000003
【図２】
2019208741.tif 000004
【図３】
2019208741.tif 000005
【図４】
2019208741.tif 000006
【図５Ａ】
2019208741.tif 000007
【図５Ｂ】
2019208741.tif 000008
【図６】
2019208741.tif 000009
【図７】
2019208741.tif 000010
【図８】
2019208741.tif 000011
【図９】
2019208741.tif 000012
【図１０】
2019208741.tif 000013
【図１１】
2019208741.tif 000014
【図１２】
2019208741.tif 000015
【図１３】
2019208741.tif 000016
【図１４】
2019208741.tif 000017